(57)【要約】【課題】スムーズに番組を進行させることができ、通信環境が良好であって、応答性の高い当選者を確保することができる抽選通知装置を提供する。【解決手段】第１抽選に参加する第１候補者を選択する候補者選択部１１と、第１候補者の通信端末装置４００に、第１抽選への参加意思を表明するためのオブジェクトを表示させる第１表示制御部１２と、第１候補者の通信端末装置４００におけるオブジェクトの操作の結果を受け付け、当選者を選択する当選者選択部１３と、第２候補者の通信端末装置４００に第２抽選への参加意思を表明するためのオブジェクトを表示させる第２表示制御部１４と、第２表示制御部１４により表示されているオブジェクトの操作の有無に関係なく、当選者選択部１３により選択された当選者が当選した旨を第１候補者および第２候補者の通信端末装置４００に通知する第１通知部１５とを備える。【選択図】図２
2018067078.tif 000002
【特許請求の範囲】
【請求項１】
第１抽選に参加する第１候補者を選択する候補者選択部と、
前記候補者選択部で選択された第１候補者の通信端末装置に、第１抽選への参加意思を表明するためのオブジェクトを表示させる第１表示制御部と、
前記第１候補者の通信端末装置における前記オブジェクトの操作の結果を受け付け、当選者を選択する当選者選択部と、
第２候補者の通信端末装置に第２抽選への参加意思を表明するためのオブジェクトを表示させる第２表示制御部と、
前記第２表示制御部により表示されているオブジェクトの操作の有無に関係なく、前記当選者選択部により選択された当選者が当選した旨を前記第１候補者および前記第２候補者の通信端末装置に通知する第１通知部とを備える抽選通知装置。
【請求項２】
前記第１抽選および前記第２抽選は、インターネットにより配信されている番組に連動する抽選であり、
前記第１通知部は、前記当選者選択部により選択された当選者の情報を前記番組を行っているスタジオの通信端末装置に通知する請求項１記載の抽選通知装置。
【請求項３】
各通信端末装置における前記オブジェクトの操作を集計する集計部を備え、
前記当選者選択部は、前記集計部による集計結果に基づいて、当選者を選択し、
前記集計部は、
前記第１表示制御部によりオブジェクトを通信端末装置に表示させる制御を行ってから、操作がされたことを受信するまでの時間の集計をする、
または、前記オブジェクトが通信端末装置に表示されてから操作されるまでの時間の集計をする請求項１または２記載の抽選通知装置。
【請求項４】
ユーザにおける、視聴履歴、所有する通信端末装置の通信環境、属性、年齢または投稿されたユーザ投稿情報の評価を記憶する記憶部を備え、
前記当選者選択部は、前記集計部による集計結果に前記記憶部に記憶されている情報を加味して、当選者を選択する請求項３に記載の抽選通知装置。
【請求項５】
前記候補者選択部は、前記記憶部に記憶されている情報を加味して前記第１候補者を選択する請求項４記載の抽選通知装置。
【請求項６】
前記第２候補者には、前記第１候補者を含まない請求項１から５のいずれか一項に記載の抽選通知装置。
【請求項７】
前記第１表示制御部は、オブジェクトが押下されずに放置されている場合、時間の経過とともにオブジェクトの表示形態を変化させる請求項１から６のいずれか一項に記載の抽選通知装置。
【請求項８】
前記第１表示制御部は、オブジェクトが押下されずに放置され、前記当選者選択部により当選者が選択された場合、所定の通知を行う請求項１から７のいずれか一項に記載の抽選通知装置。
【請求項９】
前記第１通知部は、通信端末装置に予めインストールされている専用プレーヤ、またはＳＮＳを通じて当選した旨を通知する請求項１から８のいずれか一項に記載の抽選通知装置。
【請求項１０】
前記専用プレーヤまたはＳＮＳを通じて番組への出演交渉を行う交渉部を備える請求項９記載の抽選通知装置。
【請求項１１】
前記当選者選択部により選択された当選者の通信端末装置に当選した旨を通知する第２通知部と、
前記第２通知部により当選を通知した当選者の通信端末装置から投稿を受け付けた場合、前記第１通知部により参加者の通信端末装置に当選者の通知を行うまで、当該投稿された内容の配信を制限する配信制限部を備える請求項１から１０のいずれか一項に記載の抽選通知装置。
【請求項１２】
第１抽選に参加する第１候補者を選択する候補者選択工程と、
前記候補者選択工程で選択された第１候補者の通信端末装置に、第１抽選への参加意思を表明するためのオブジェクトを表示させる第１表示制御工程と、
前記第１候補者の通信端末装置において前記オブジェクトの操作が行われたときに、当該オブジェクトの操作を受け付け、当選者を選択する当選者選択工程と、
第２候補者の通信端末装置に第２抽選への参加意思を表明するためのオブジェクトを表示させる第２表示制御工程と、
前記第２表示制御工程により表示されているオブジェクトの操作の有無に関係なく、前記当選者選択工程により選択された当選者が当選した旨を前記第１候補者および前記第２候補者の通信端末装置に通知する第１通知工程とを備える抽選通知方法。
【請求項１３】
第１抽選に参加する第１候補者を選択する候補者選択工程と、
前記候補者選択工程で選択された第１候補者の通信端末装置に、第１抽選への参加意思を表明するためのオブジェクトを表示させる第１表示制御工程と、
前記第１候補者の通信端末装置において前記オブジェクトの操作が行われたときに、当該オブジェクトの操作を受け付け、当選者を選択する当選者選択工程と、
第２候補者の通信端末装置に第２抽選への参加意思を表明するためのオブジェクトを表示させる第２表示制御工程と、
前記第２表示制御工程により表示されているオブジェクトの操作の有無に関係なく、前記当選者選択工程により選択された当選者が当選した旨を前記第１候補者および前記第２候補者の通信端末装置に通知する第１通知工程と、をコンピュータに実行させるための抽選通知プログラム。
【発明の詳細な説明】
【技術分野】
【０００１】
本発明は、抽選結果を通知する抽選通知装置、方法およびプログラムに関する。
【背景技術】
【０００２】
抽選を多段階で行う（例えば、第１抽選後に第２抽選を行う）ことで多数の応募者の中から当選者を選ぶ装置が知られている。
【０００３】
例えば、特許文献１は、応募者の携帯電話機からのデータ通信による応募を受付けかつ受付けたデータ通信の何れかを選択して予備抽選（第１抽選）の当選者とする予備抽選サーバと、予備抽選の当選者からの電話を受付けて本抽選（第２抽選）の当選者を確定する本抽選サーバとを備えるシステムが開示されている。さらに、特許文献１では、予備抽選および本抽選における具体的な抽選手法について、乱数の利用、特定条件の合致、先着順など、既存の手法を適宜利用することが開示されている。
【先行技術文献】
【特許文献】
【０００４】
【特許文献１】特開２００２−９２２４８号公報
【発明の概要】
【発明が解決しようとする課題】
【０００５】
しかし、特許文献１に記載のシステムでは、最終的な当選者はあくまでも本抽選により選ばれるため、例えば、番組中に本抽選を行う場合において、本抽選に既定の人数が集まらない場合、応答性のよい当選者を確定できない可能性がある。また、本抽選による当選後の当選者とのコンタクトに時間がかかった場合、番組進行を妨げる可能性がある。
【０００６】
また、インターネット配信による生放送番組において、ネットワークに不具合があり、良好な通信環境が保たれていない場合、番組中に当選者とコンタクトを取るときに、スムーズに行えない可能性がある。さらに、一度に複数の参加者と通信を行う場合には、通信の遅延が生ずる可能性もある。
【０００７】
そこで、本発明では、スムーズに番組を進行させることができ、通信環境が良好であって応答性の高い当選者を確保することができる抽選通知装置、方法およびプログラムを提供することを目的とする。
【課題を解決するための手段】
【０００８】
第１の態様は、第１抽選に参加する第１候補者を選択する候補者選択部と、前記候補者選択部で選択された第１候補者の通信端末装置に、第１抽選への参加意思を表明するためのオブジェクトを表示させる第１表示制御部と、前記第１候補者の通信端末装置における前記オブジェクトの操作の結果を受け付け、当選者を選択する当選者選択部と、第２候補者の通信端末装置に第２抽選への参加意思を表明するためのオブジェクトを表示させる第２表示制御部と、前記第２表示制御部により表示されているオブジェクトの操作の有無に関係なく、前記当選者選択部により選択された当選者が当選した旨を前記第１候補者および前記第２候補者の通信端末装置に通知する第１通知部とを備える抽選通知装置である。
【０００９】
第２の態様は、第１抽選に参加する第１候補者を選択する候補者選択工程と、前記候補者選択工程で選択された第１候補者の通信端末装置に、第１抽選への参加意思を表明するためのオブジェクトを表示させる第１表示制御工程と、前記第１候補者の通信端末装置における前記オブジェクトの操作の結果を受け付け、当選者を選択する当選者選択工程と、第２候補者の通信端末装置に第２抽選への参加意思を表明するためのオブジェクトを表示させる第２表示制御工程と、前記第２表示制御工程により表示されているオブジェクトの操作の有無に関係なく、前記当選者選択工程により選択された当選者が当選した旨を前記第１候補者および前記第２候補者の通信端末装置に通知する第１通知工程とを備える抽選通知方法である。
【００１０】
第３の態様は、第１抽選に参加する第１候補者を選択する候補者選択工程と、前記候補者選択工程で選択された第１候補者の通信端末装置に、第１抽選への参加意思を表明するためのオブジェクトを表示させる第１表示制御工程と、前記第１候補者の通信端末装置における前記オブジェクトの操作の結果を受け付け、当選者を選択する当選者選択工程と、第２候補者の通信端末装置に第２抽選への参加意思を表明するためのオブジェクトを表示させる第２表示制御工程と、前記第２表示制御工程により表示されているオブジェクトの操作の有無に関係なく、前記当選者選択工程により選択された当選者が当選した旨を前記第１候補者および前記第２候補者の通信端末装置に通知する第１通知工程と、をコンピュータに実行させるための抽選通知プログラムである。
【発明の効果】
【００１１】
上述の抽選通知装置、方法およびプログラムによれば、スムーズに番組を進行させることができ、通信環境が良好であって、応答性の高い当選者を確保することができる。
【図面の簡単な説明】
【００１２】
【図１】実施形態に係るコンテンツ提供システムの構成を示す概略ブロック図である。
【図２】実施形態に係る抽選通知装置の構成を示す概略ブロック図である。
【図３】実施形態に係るユーザ情報記憶部に記憶されるユーザ情報の一例を示す図である。
【図４】実施形態に係る通信端末装置に表示される参加ボタンの一例を示す図である。
【図５】実施形態に係る第１通知部により通信端末装置に通知される情報の一例を示す図である。
【図６】実施形態に係る集計部により集計された結果の一例を示す図である。
【図７】実施形態に係る第１表示制御部による参加ボタンの表示形態の変化の様子を示す図である。
【図８】実施形態に係る第１表示制御部による参加ボタンが押下されない場合に表示される情報の一例を示す図である。
【図９】実施形態に係る第１通知部により当選した旨の通知を行うときに表示される情報の一例を示す図である。
【図１０】本実施形態に係る抽選通知装置を利用して番組による抽選を行う手順についての説明に供する図である。
【図１１】実施形態に係る抽選通知装置の動作について説明するためのフローチャートである。
【図１２】実施形態に係るコンテンツ提供システムの他の構成を示す概略ブロック図である。
【図１３】実施形態に係るコンピュータの構成を示す概略ブロック図である。
【発明を実施するための形態】
【００１３】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１４】
なお、以下の実施形態は、ネットワークＮを介して構築されるコンテンツ提供システムに含まれるコンテンツ提供装置などに対し、本発明に係る抽選通知装置、方法およびプログラムを適用した場合の実施形態である。
【００１５】
まず、図１を用いて本実施形態におけるコンテンツ提供システム１の構成及びその概要について説明する。
【００１６】
本実施形態のコンテンツ提供システム１は、図１に示すように、コンテンツを提供するコンテンツ提供装置１００と、コメントを配信するコメント配信装置２００と、抽選を通知する抽選通知装置３００と、通信端末装置４００と、番組コンテンツを生成する番組コンテンツ生成装置５００とが、例えば、インターネットなどのネットワークＮに接続可能に構成されている。なお、通信端末装置４００とは、複数の通信端末装置４００ａ，ｂ・・・ｎの総称である。本実施形態では、通信端末装置４００とは、個々の通信端末装置を意味する場合と、複数の通信端末装置の全体を意味する場合がある。
【００１７】
また、コンテンツ提供システム１は、コミュニケーション型のサービスを提供するＳＮＳ（Ｓｏｃｉａｌ  Ｎｅｔｗｏｒｋｉｎｇ  Ｓｅｒｖｉｃｅ）サーバ装置を含んでもよい。ＳＮＳサーバ装置は、複数のユーザ間でコミュニケーションを提供することが可能なサービスを提供する装置である。
【００１８】
コメント配信装置２００は、コンテンツ提供装置１００が提供し、通信端末装置４００にて表示されているコンテンツに対して、通信端末装置４００から投稿されたコメントを受信する。コメント配信装置２００は、投稿されたコメントを通信端末装置４００に配信する。通信端末装置４００は、コンテンツ提供装置１００から提供されたコンテンツにコメント配信装置２００から配信されてきたコメントを重畳して表示する。通信端末装置４００は、例えば、コメントをコンテンツが表示されている画面の一方側から他方側へスクロール表示する。なお、投稿されるものはコメントに限定されず、画像や音声などを含むユーザ投稿情報でもよい。本実施例において、ユーザ投稿情報とは、コメント、画像または音声の一または複数により構成されている情報をいう。
【００１９】
通信端末装置４００は、スマートフォン、携帯電話、ＰＨＳ、コンピュータ、ゲーム装置、ＰＤＡ、携帯型ゲーム機等、画像生成装置などの情報処理装置であり、ネットワークＮを介してコンテンツ提供装置１００、コメント配信装置２００および抽選通知装置３００に接続可能な装置である。さらに、通信端末装置４００は、透過型のディスプレイが接続されて、ＶＲ（Ｖｉｒｔｕａｌ  Ｒｅａｌｉｔｙ）やＡＲ（Ａｕｇｍｅｎｔｅｄ  Ｒｅａｌｉｔｙ）などに対応した装置でもよい。
【００２０】
また、通信端末装置４００は、Ｗｅｂページ（ＨＴＭＬ形式のデータ）を閲覧可能なＷｅｂブラウザを備えている。つまり、通信端末装置４００は、コンテンツ提供装置１００、コメント配信装置２００および抽選通知装置３００との通信を行うための通信制御機能、および、コンテンツ提供装置１００、コメント配信装置２００および抽選通知装置３００から受信したデータ（Ｗｅｂデータ、ＨＴＭＬ形式で作成されたデータなど）を用いて表示制御を行うＷｅｂブラウザ機能などを備え、コンテンツやコメントを表示させる処理を行う。
【００２１】
番組コンテンツ生成装置５００は、スタジオにおいて撮影した番組コンテンツを順次ストリーミング配信用のデータ（ストリーミングファイル）に変換して、変換後のデータをコンテンツ提供装置１００に送信する。コンテンツ提供装置１００は、通信端末装置４００からのリクエストに応じて、リクエストされた番組コンテンツを通信端末装置４００にリアルタイムでライブ配信を行う。厳密には、複数の通信端末装置４００により同一の番組コンテンツを視聴している場合、個々の通信環境や端末装置のスペックの違いにより、番組コンテンツが表示されるタイミングに若干のタイムラグが生じている。なお、番組コンテンツは、生放送に限らず、録画したものを放送する場合でもよい。
【００２２】
本実施形態では、インターネットを介して番組コンテンツが生放送で配信される場合を想定して説明する。
【００２３】
また、番組中において、例えば、視聴者の中から抽選で当選した人に番組に出演してもらい、クイズに挑戦したり、番組の出演者と電話や通話アプリなどを利用して会話したり、プレゼントをしたりすることがある。番組中に抽選を行って当選者を決める場合、なかなか当選者が決まらないケースや、通信環境が悪く、当選者とのコンタクトが良好に行えないケースなどが生じ、応答性の高い当選者を確定できず、番組進行を妨げる可能性がある。
【００２４】
本実施例に係る抽選通知装置３００では、応答性の高い当選者を確定し、番組を良好に進行することができる当選者を選ぶことができる。以下に、図２を用いて抽選通知装置３００の構成と動作について説明する。
【００２５】
＜抽選通知装置の構成と動作＞
抽選通知装置３００は、図２に示すように、候補者選択部１１と、第１表示制御部１２と、当選者選択部１３と、第２表示制御部１４と、第１通知部１５とを備える。
【００２６】
候補者選択部１１は、第１抽選に参加する第１候補者を選択する。ここで、第１候補者の選択手順の一例について説明する。
【００２７】
ユーザは、コンテンツ提供装置１００からコンテンツの提供を受ける際にユーザ登録を行う。ユーザ登録を行った場合、ユーザには固有のＩＤが付与される。ユーザ情報記憶部３１には、図３に示すように、固有のＩＤにユーザ情報（ニックネーム、パスワードなど）と付属情報が関連付けて登録されている。付属情報とは、図３に示すように、コンテンツの視聴履歴、通信環境、属性、年齢、投稿されたユーザ投稿情報の評価などである。コンテンツの視聴履歴は、コンテンツＩＤで示しているがこれに限られない。
【００２８】
通信環境とは、ユーザが所有する通信端末装置４００の通信環境であり、通信速度が速いほど「良好」と判断される。なお、通信環境は、通信速度そのものを定量的に示す構成でもよい。放送の場合には、多数の人に同時に視聴させること（同時性）ができるが、インターネットを利用した通信の場合、通信端末装置４００のスペックや通信速度などの通信環境により、ディレイ（遅延）が発生し、放送のような同時性を担保することが困難である。よって、ユーザが所有する通信端末装置４００の通信環境を付属情報として設けておくことに意味がある。
【００２９】
また、属性とは、男性または女性などのユーザの性別であるが、これに限られず、シニア、子供、大人などの年代別でもよい。
【００３０】
候補者選択部１１は、ユーザ情報記憶部３１に記憶されているユーザであって、配信中の番組を視聴しているユーザの中から、付属情報に基づいて、第１抽選に参加する第１候補者を選択し、選択したユーザのＩＤを第１候補者記憶部３２に記憶する。例えば、候補者選択部１１は、通信環境が良好なユーザだけを第１候補者として選択したり、女性だけを第１候補者として選択したり、投稿されたコメントの評価が一定以上の水準のユーザだけを第１候補者として選択したり、男性かつ直近のコメント投稿者を第１候補者として選択する。さらに、候補者選択部１１は、ユーザ登録日が古く昔から会員（ユーザ）を第１候補として選択したり、ユーザ登録日が新しい会員（ユーザ）を第１候補として選択することもできる。
【００３１】
第１表示制御部１２は、候補者選択部１１で選択された第１候補者の通信端末装置４００に、第１抽選への参加意思を表明するためのオブジェクトを表示させる。なお、本実施例では、オブジェクトの一例を参加ボタンとして説明するが、オブジェクトは参加ボタンに限られない。また、第１表示制御部１２は、第１候補者記憶部３２を参照し、記憶されているＩＤを読み出し、当該ＩＤに対応するユーザの通信端末装置４００に、第１抽選への参加意思を表明するための参加ボタンを表示させる。
【００３２】
第１表示制御部１２は、図４（ａ）に示すように、番組コンテンツが表示されている通信端末装置４００に、図４（ｂ）に示すように、「抽選に参加！」ボタンＡを表示させるように制御する。例えば、通信端末装置４００では、ユーザに「抽選に参加！」ボタンＡを連打させるような演出を行ってもよい。このように第１抽選の当選確率が上がるような演出を行うことによって、「抽選に参加！」ボタンＡを操作する楽しさをユーザに与えることができる。
【００３３】
当選者選択部１３は、第１候補者の通信端末装置におけるオブジェクト（参加ボタン）の操作の結果を受け付け、当選者を選択する。当選者選択部１３は、選択した当選者を第１抽選の結果として第１抽選結果記憶部３３に記憶する。第１抽選の結果とは、図５に示すように、当選したユーザのＩＤを示す当選ユーザＩＤリストや、当選しなかったユーザのＩＤを示す落選ユーザＩＤリストや、参加ボタンを押下操作しなかったユーザのＩＤを示す不参加ユーザＩＤリストなどである。
【００３４】
例えば、当選者選択部１３は、次回の抽選においては、落選ユーザや不参加ユーザの中から優先的に当選者を選択してもよい。また、候補者選択部１１は、第１抽選の結果に基づいて、次回の抽選において、不参加ユーザを第１候補者から外してもよい。また、候補者選択部１１は、一つの番組の中で複数回の抽選がある場合には、第１抽選の結果に基づいて、１回当選したユーザを外して第１候補者を選択してもよい。
【００３５】
また、当選者選択部１３は、押下操作が早い順に当選者を選択してもよい。このような構成によれば、抽選通知装置３００では、単純に早く参加ボタンを押下操作したユーザが抽選で選ばれることになる。
【００３６】
第２表示制御部１４は、第２候補者の通信端末装置４００に第２抽選への参加意思を表明するためのオブジェクト（例えば、参加ボタン）を表示させる。第２候補者は、ユーザ情報記憶部３１に記憶されているユーザであって番組を視聴中のユーザである。なお、第２候補者には、第１候補者を除く、本番組を視聴中の全てのユーザでもよい。
【００３７】
第１通知部１５は、第２表示制御部１４により表示されている参加ボタンの押下操作の有無に関係なく、当選者選択部１３により選択された当選者が当選した旨を第１候補者および第２候補者の通信端末装置４００に通知する。
【００３８】
つまり、抽選通知装置３００によれば、以下の進行１から進行５のように番組を進行することができる。
進行１（第１抽選の準備）：抽選に連動する番組の司会者は、「今日は抽選があるみたいですね」などと発言することにより、視聴者に対して、近々抽選があることを予告する。
進行２（第１抽選の実行）：番組のバックグラウンドにおいて、第１表示制御部１２により、第１候補者の通信端末装置４００に参加ボタンを表示させて、第１抽選を開始する。
進行３（第１抽選による当選者決定）：当選者選択部１３により当選者（例えば、ＩＤ「２４６４８６」）を決定する。
進行４（第２抽選の実行）：第１抽選により当選者が決定した後に、第２表示制御部１４により、第２候補者の通信端末装置４００に参加ボタンを表示させて、第２抽選を開始する。なお、第１通知部１５は、当選者選択部１３により選択された当選者の情報をスタジオの通信端末装置４００に通知する構成でもよい。当該構成によれば、番組を進行している司会者が手元の端末により当選者を目視することができ、効率的に番組を進行することができるようになる。
進行５（当選者の発表）：番組進行にしたがって、任意のタイミングで司会者が「抽選結果を発表します。当選者は、ＩＤ「２４６４８６」さんです！」と発言し、第１抽選の当選者を発表する。
【００３９】
進行３において当選するユーザは、表示されている参加ボタンを積極的に押下操作しているので、積極的に番組に参加する意欲が高いユーザであると推定することができる。さらに、通信環境が良好なユーザを第１候補者に選ぶことで、通信環境が良好な当選者を選ぶことができる。また、第２抽選を行っている間に、当選者に出演のコンタクトを取ることもできる。
【００４０】
このようにして、抽選通知装置３００は、番組の抽選イベントが始まる前に第１抽選を行い、当選者を決めておくので、番組中の抽選イベントである第２抽選において、第２抽選で既定の人数が集まらない場合などの番組進行を妨げる事態を回避して、応答性の高い当選者を確保することができる。また、抽選通知装置３００では、進行表にしたがってスムーズに生番組を進行させながら、通信環境が良好な当選者を確保することができる。
【００４１】
なお、抽選通知装置３００は、当選者が１名の場合でも、保険のため、上位数名を選んでおき、順位１位の視聴者には、「当選しました！」などと通知し、順位２位以下の視聴者には、「候補者です！」などと通知してもよい。
【００４２】
＜集計部を備える構成＞
抽選通知装置３００は、図２に示すように、各通信端末装置４００におけるオブジェクト（参加ボタン）の操作を集計する集計部１６を備える構成でもよい。抽選に参加したいユーザは、図４（ｂ）に示すように、自身の通信端末装置４００に表示されている「抽選に参加！」ボタンＡを押下操作する。押下操作は、タッチ操作やマウスなどのポインティングディバイスを利用して行う。また、集計部１６は、集計結果を集計結果記憶部３４に記憶する。また、集計結果は、例えば、図６に示すように、押下操作が早い順にＩＤが並んで構成される。
【００４３】
具体的には、集計部１６は、第１表示制御部１２により参加ボタンを通信端末装置４００に表示させる制御を行ってから、押下操作がされたことを受信するまでの時間の集計をする。つまり、集計部１６は、第１候補者の通信端末装置４００に一斉に「抽選に参加！」ボタンＡを表示させる制御を行ってから、各通信端末装置４００から「抽選に参加！」ボタンＡの押下操作を行った旨の通知が届くまでの時間の集計をする。このような構成により、抽選通知装置３００は、「抽選に参加」ボタンＡを押下操作した順番をいち早く知ることができる。
【００４４】
また、集計部１６は、参加ボタンが通信端末装置４００に表示されてから押下操作されるまでの時間の集計を行う構成としてもよい。つまり、通信端末装置４００は、「抽選に参加！」ボタンＡが表示されてからユーザにより「抽選に参加！」が押下操作されるまでの時間を計測し、計測結果を集計部１６に通知する。このような構成により、抽選通知装置３００は、通信環境や通信端末装置４００のスペックの違いにより、一の通信端末装置４００では「抽選に参加！」ボタンＡが早く表示され、他の通信端末装置４００では「抽選に参加！」ボタンＡが遅く表示されるような場合において、不公平感がでないように抽選を行うことができる。
【００４５】
また、当該構成の場合、当選者選択部１３は、集計結果記憶部３４を参照して、集計部１６による集計結果に基づいて当選者を選択する。具体的には、当選者選択部１３は、集計部１６による集計結果にユーザ情報記憶部３１に記憶されている付属情報を加味して、当選者を選択する。付属情報とは、コンテンツの視聴履歴、通信環境、属性、年齢または投稿されたユーザ投稿情報の評価などである。つまり、参加ボタンの押下操作が遅いユーザであっても、投稿されたコメントの評価が良ければ、当選者に選ばれる可能性がある。また、参加ボタンの押下操作が早いユーザであっても、ＮＧワードなどが多く、投稿されたコメントの評価が悪ければ、当選者に選ばれない可能性がある。よって、ユーザが常日頃から当選確率を上げることを意識してコメントを投稿するようになることが期待される。
【００４６】
＜第１候補者の選択と参加ボタンの表示手順＞
第１抽選において、だれも表示されたボタンに反応しなかったり、または複数の当選者を予定していたが、その当選人数に達しない可能性がある。その場合には、規定の当選人数に達するまで第１抽選を繰り返すようにする。
【００４７】
また、一度に沢山の候補者に「抽選に参加！」ボタンを表示させると、集計結果が集中し、抽選通知装置３００の負担が大きくなるので、グループに分けて第１抽選を行う。
【００４８】
ここで、当選者を１０人選ぶ場合を想定して説明する。ユーザ情報記憶部３１に１０万人のユーザの情報が記憶されている場合であって、投稿されたコメントの評価が一定以上の水準のユーザが２０００人いる場合、候補者選択部１１は、付属情報に基づいて、投稿されたコメントの評価が一定以上の水準のユーザとして、この２０００人を第１候補者として選択する。
【００４９】
また、２０００人の通信端末装置４００に一斉に参加ボタンを表示させると、多数の通信端末装置４００から応答があり、処理負担が大きくなることが予想される。そこで、候補者選択部１１は、例えば、１００人ずつを１つのグループとして、２０個のグループを作成し、第１候補者記憶部３２に記憶する。
【００５０】
第１表示制御部１２は、第１グループに属するユーザの通信端末装置４００に第１抽選への参加意思を表明するための参加ボタンを表示させる。集計部１６は、第１グループの通信端末装置４００による参加ボタンの押下操作を集計する。例えば、当選者が１０人の場合、集計部１６による集計によって当選者が確定すれば、第２グループ以降に属するユーザに対しては、第１抽選を行わない。この場合、第２グループ以降に属するユーザは、第２候補者として扱ってもよい。
【００５１】
また、第１グループに属するユーザから１０人の当選者が選択されなかった場合には、当選者が確定するまで第２グループ以降のグループごとに順次第１抽選を行う。
【００５２】
このようにして、抽選通知装置３００は、第１抽選を繰り返す分だけ時間を消費するが、番組進行の裏で第１抽選を行うため、番組の進行を妨げることなく意思の疎通を図れる（応答性のよい）当選者を選択することができる。
【００５３】
＜参加ボタンの表示変化＞
第１表示制御部１２は、参加ボタンが押下されずに放置されている場合、時間の経過とともに参加ボタンの表示形態を変化させる構成でもよい。
【００５４】
例えば、第１表示制御部１２は、図７に示すように、時間の経過とともに「抽選に参加！」ボタンＡ１をＡ２、Ａ３のように、徐々に大きくするように表示形態を変化させてもよい。
【００５５】
他の例として、第１表示制御部１２は、時間の経過とともに参加ボタンの色を変化させるような構成でもよい。
【００５６】
このような構成よれば、抽選通知装置３００は、第１参加者に対して、抽選に参加させるように強く迫ることができる。
【００５７】
＜参加ボタンが押下されない場合の構成＞
第１表示制御部１２は、参加ボタンが押下されずに放置され、当選者選択部１３により当選者が選択された場合、所定の通知を行う構成でもよい。
【００５８】
例えば、ＩＤ「１２３」とＩＤ「４５６」が第１候補者であり、ＩＤ「１２３」は「抽選に参加！」ボタンを押下操作して当選者となり、ＩＤ「４５６」は「抽選に参加！」ボタンを押下操作しなかった場合を一例として、図８を参照しながら説明する。
【００５９】
ＩＤ「１２３」とＩＤ「４５６」の通信端末装置４００には、図８（ａ）、（ｄ）に示すように、「抽選に参加！」ボタンが表示される。
【００６０】
ＩＤ「１２３」は、「抽選に参加！」ボタンＡを押下操作し、ＩＤ「４５６」は「抽選に参加！」ボタンＡを押下操作しなかったとする。
【００６１】
「抽選に参加！」ボタンＡを押下操作したＩＤ「１２３」の通信端末装置４００には、図８（ｂ）に示すように、「抽選に参加！」ボタンＡを消失させる。
【００６２】
一方、「抽選に参加！」ボタンＡを押下操作しなかったＩＤ「４５６」の通信端末装置４００には、図８（ｅ）に示すように、「抽選に参加！」ボタンＡが表示を続ける。なお、ＩＤ「４５６」の通信端末装置４００からも「抽選に参加！」ボタンＡを消失させてもよい。
【００６３】
そして、ＩＤ「１２３」が当選した場合、ＩＤ「１２３」の通信端末装置４００には、図８（ｃ）に示すように、「当選しました！」の表示Ｂを行う。なお、当選者に個別に「当選しました！」などの表示を行わず、第２抽選後に全員に「ＩＤ「１２３」さんが当選しました」などと表示する構成でもよい。
【００６４】
一方、ＩＤ「４５６」の通信端末装置４００には、図８（ｆ）に示すように、「残念！」などの表示Ｃを行う。
【００６５】
抽選通知装置３００は、「抽選に参加！」ボタンＡを押下操作しなかったユーザに対して、図８（ｆ）のような表示Ｃを行うことにより、当該ユーザに対して、「抽選に参加！」ボタンＡを押下操作していれば当選していたのにという印象を与え、悔しい思いをさせて、次回の抽選に参加させるように促すことができる。
【００６６】
＜抽選の利用形態＞
上述では、ユーザは、通信端末装置４００にインストールされているＷｅｂブラウザを利用してコンテンツの提供サービスを行っているコンテンツ提供装置１００にアクセスし、第１通知部１５や第２通知部１８による通知を当該Ｗｅｂブラウザを介して取得する形態について説明したが、当該形態に限られない。
【００６７】
第１通知部１５や第２通知部１８は、通信端末装置４００に予めインストールされている専用プレーヤ、またはＳＮＳを通じて当選した旨を通知する構成でもよい。
【００６８】
よって、抽選通知装置３００は、Ｗｅｂブラウザによる利用形態以外でもサービスの提供を行うことができ、ユーザの利便性の向上を図ることができる。
【００６９】
＜出演交渉＞
また、抽選通知装置３００は、図２に示すように、専用プレーヤまたはＳＮＳを通じて番組への出演交渉を行う交渉部１７を備える構成でもよい。
【００７０】
具体的には、交渉部１７は、第１抽選結果記憶部３３を参照して、当選者ＩＤを取得し、当選者の通信端末装置４００に連絡を行い、番組への出演交渉を行う。出演交渉は、例えば、「当選した○○番組に参加していただけますか？」などのメッセージを送り、参加意思を示したユーザに対して、番組のスタッフが口頭により出演時間や段取りなどを説明してもよい。
【００７１】
＜コメントの投稿制限＞
また、抽選通知装置３００は、図２に示すように、第２通知部１８と、配信制限部１９を備える構成でもよい。
【００７２】
第２通知部１８は、当選者選択部１３により選択された当選者の通信端末装置４００に当選した旨を通知する。例えば、第２通知部１８は、図９に示すように、当選者の通信端末装置４００に「当選しました！」などの表示Ｂを行う。
【００７３】
配信制限部１９は、第２通知部１８により当選を通知した当選者の通信端末装置４００から投稿を受け付けた場合、第１通知部１５により当選者の通知を行うまで、当該投稿された内容の配信を制限する。
【００７４】
抽選通知装置３００は、番組進行のバックグラウンドにおいて、当選者選択部１３により当選者が決まったとき、第２通知部１８により当選者に当選した旨を通知する。つまり、当選者は、番組で行われる第２抽選が始まる前に当選したことを知ることになるので、コメント投稿機能を利用して、自身が当選したことを投稿してしまうことが考えられる。このような投稿が行われると、番組中の第２抽選の興を削がれ、番組の進行が阻害されるおそれがある。
【００７５】
そこで、配信制限部１９は、第１通知部１５により当選者の通知を行うまで、当該投稿された内容の配信を制限する。このような構成によれば、抽選通知装置３００は、当選者によるコメントの投稿を一定期間制限することにより、番組の進行に影響を与えるような事態を回避することができる。
【００７６】
＜番組の進行と第１抽選の進行についての説明＞
つぎに、抽選通知装置３００を利用して番組による抽選を行う手順について、図１０を用いて説明する。なお、図１０では、ＩＤ「１００」は、第１候補者であり、第１抽選に参加し、当選者に選ばれたユーザであり、ＩＤ「１０１」は、第１候補者であり、第１抽選に参加したが、当選者に選ばれなかったユーザであり、ＩＤ「１０２」は、第１候補者であるが、第１抽選に参加せず、参加ボタンを押下操作しなかったユーザであり、ＩＤ「１０３」は、第１候補者ではない第２候補者である場合を想定して説明する。
【００７７】
また、番組の進行（タイムテーブル）は、図１０に示すように、１４時頃から別の企画（例えば、出演者同士の雑談など）を進行し（以下、番組進行１という）、１４時１１分頃から全視聴者に向けて抽選への参加を募集し（以下、番組進行２という）、１４時１３分頃から番組中の抽選（第２抽選）を行い（以下、番組進行３という）、１４時１６分頃から当選者の発表を行い（以下、番組進行４という）、１４時１７分頃から番組中で当選者とコンタクトする（以下、番組進行５という）。
【００７８】
また、第１抽選の進行は、図１０に示すように、１４時頃から第１抽選を開始し（以下、抽選進行１という）、１４時０２分頃から結果を集計して当選者を選出し、規定の当選人数まで第１抽選を繰り返し（以下、抽選進行２という）、１４時０７分頃から当選者に当選を通知し（以下、抽選進行３という）、１４時０８分ころ当選者との出演交渉を行う（以下、抽選進行４という）。
【００７９】
具体的には、番組進行１において、司会者が別の企画を進行しているときに、抽選進行１により第１抽選を開始する。なお、第１抽選を始める告知は、図４（ａ）に示すように、運営者側のメッセージ欄４０１に「これから抽選を始めます。抽選に参加！ボタンを押してください。早押しですよ〜」や「１４時１０分頃に番組中の抽選イベントにおいて、ＤＪ○○と会話できます。抽選に参加！ボタンを押してください。」などの表示を行う構成でもよい。
【００８０】
そして、ＩＤ「１００」、ＩＤ「１０１」およびＩＤ「１０２」の通信端末装置４００には、「抽選に参加！」ボタンが表示される。なお、ＩＤ「１０３」の通信端末装置４００には、第１候補者ではないため、抽選進行１および抽選進行２において、「抽選に参加！」ボタンは表示されない。
【００８１】
そして、ＩＤ「１００」の通信端末装置４００には、第１抽選において当選者に選ばれたので、抽選進行３において、「当選しました！」という表示が行われる。なお、当該表示が行われない構成でもよい。また、当選者が決まったときに、番組のスタッフまたは番組を進行している司会者の手元の通信端末にＩＤ「１００」が当選者として選ばれたことを通知する構成でもよい。
【００８２】
ＩＤ「１０１」の通信端末装置４００には、第１抽選に参加したが落選したので、抽選進行３において、「抽選に参加！」ボタンは表示されない。また、ＩＤ「１０２」の通信端末装置４００には、第１候補者であるが第１抽選に参加しなかったため、抽選進行３において、「抽選に参加！」ボタンが表示され続ける構成とするが、表示されなくてもよい。また、ＩＤ「１０２」の通信端末装置４００には、「抽選に参加！」ボタンではなく、「残念！」などの表示が行われる構成でもよい。
【００８３】
また、番組では、別の企画が終了したタイミングで、全視聴者に向けて抽選への参加を呼びかける（番組進行２）。そして、第２抽選を開始する（番組進行３）。
【００８４】
図１０に示す例では、番組進行３において、ＩＤ「１０３」の通信端末装置４００には、「抽選に参加！」ボタンが表示される。ところで、番組進行３において表示される「抽選に参加！」ボタンは、単に通信端末装置４００に表示されているだけで、押下操作を行っても抽選通知装置３００には一切の負荷がかからない。
【００８５】
そして、番組において当選者がＩＤ「１００」である旨の発表を行う（番組進行４）。発表方法は、ＩＤ「１００」、ＩＤ「１０１」、ＩＤ「１０２」およびＩＤ「１０３」のすべての通信端末装置４００に「ＩＤ「１００」さんが当選」などの表示を行う。その後、当選者であるＩＤ「１００」と番組においてコンタクト（例えば、電話や通話アプリを利用して通話などの連絡）を取る（番組進行５）。
【００８６】
このようにして、抽選通知装置３００は、第１抽選に参加するユーザと参加しないユーザ、第１抽選で当選したユーザと落選したユーザ、第１抽選に参加しなかったユーザの通信端末装置４００にそれぞれの状態に適合した表示が行われるように制御を行う。
【００８７】
また、抽選通知装置３００を利用することにより、番組のスタッフは、第１抽選の進行状況に応じて番組進行を柔軟に調整することができ、スムーズに番組を進行させることができる。また、番組の進行を変更したくない場合には、第１抽選を開始する時間を１４時よりも前にシフトすることにより、余裕をもって応答性の高い当選者を確保することができる。また、第２抽選を手短に終わらせて、当選者の発表を行うことにより、よりスピーディに番組を進行することができる。
【００８８】
＜抽選の手順＞
つぎに、抽選通知装置３００による抽選の手順について、図１１に示すフローチャートを用いて説明する。
【００８９】
ステップＳ１において、候補者選択部１１は、第１抽選に参加する第１候補者を選択する（候補者選択工程）。
【００９０】
ステップＳ２において、第１表示制御部１２は、ステップＳ１の工程において選択された第１候補者の通信端末装置４００に、第１抽選への参加意思を表明するためのオブジェクト（例えば、参加ボタン）を表示させる（第１表示制御工程）。
【００９１】
ステップＳ３において、当選者選択部１３は、第１候補者の通信端末装置におけるオブジェクトの操作の結果を受け付け、当選者を選択する（当選者選択工程）。
【００９２】
ステップＳ４において、第２表示制御部１４は、第２候補者の通信端末装置４００に第２抽選への参加意思を表明するためのオブジェクト（例えば、参加ボタン）を表示させる（第２表示制御工程）。
【００９３】
ステップＳ５において、第１通知部１５は、ステップＳ４の工程により表示されているオブジェクトの押下操作の有無に関係なく、ステップＳ３の工程により選択された当選者が当選した旨を第１候補者および第２候補者の通信端末装置４００に通知する（第１通知工程）。
【００９４】
このようにして、抽選通知装置３００は、番組の抽選イベントが始まる前に第１抽選を行い、当選者を決めておくので、番組中の抽選イベントである第２抽選において、誰も第２抽選に参加しない場合や、第２抽選で既定の人数が集まらない場合などの番組進行を妨げる事態を回避して、応答性の高い当選者を確保することができる。また、抽選通知装置３００では、進行表にしたがってスムーズに生番組を進行させながら、通信環境が良好な当選者を確保することができる。
【００９５】
＜他の実施例＞
また、上述の実施形態において、コンテンツ提供システム１は、コンテンツ提供装置１００と、コメント配信装置２００と、抽選通知装置３００と、通信端末装置４００とから構成されるものとして説明したが、当該構成に限られない。
【００９６】
コンテンツ提供システム２は、図１２に示すように、コンテンツ提供装置６００と、通信端末装置４００とから構成される。当該構成の場合には、コンテンツ提供装置６００は、コンテンツを提供するコンテンツ提供部６０１と、コメントを配信するコメント配信部６０２と、抽選を通知する抽選通知部６０３と、番組コンテンツを生成する番組コンテンツ生成部６０４とから構成される。コンテンツ提供部６０１は、上述したコンテンツ提供装置１００と同一の構成要素により構成されている。コメント配信部６０２は、上述したコメント配信装置２００と同一の構成要素により構成されている。抽選通知部６０３は、上述した抽選通知装置３００と同一の構成要素により構成されている。番組コンテンツ生成部６０４は、上述した番組コンテンツ生成装置５００と同一の構成要素により構成されている。
【００９７】
当該構成によれば、ユーザ情報記憶部３１を共通化でき、抽選通知部６０３とコンテンツ提供部６０１との間の通信や、抽選通知部６０３とコメント配信部６０２との間の通信を外部のインターネットを利用せず、内部の通信回線で行えるメリットがある。さらに、学校内や、教室などのクローズな空間で利用できるメリットもある。
【００９８】
＜プログラム＞
また、コンテンツ提供システム１の抽選通知装置３００を構成する各機能を実現するためのプログラムをコンピュータで読み取り可能な記録媒体に記録して、この記録媒体に記録されたプログラムをコンピュータシステムに読み込ませ、指示することによって実現してもよい。
【００９９】
具体的には、抽選通知装置３００は、図１３に示すように、コンピュータ７００に実装される。抽選通知装置３００の各構成要素の動作は、プログラムの形式で補助記憶装置７０３に記憶されている。ＣＰＵ７０１は、プログラムを補助記憶装置７０３から読み出して主記憶装置７０２に展開し、当該プログラムに従って上記処理を実行する。また、ＣＰＵ７０１は、プログラムに従って、上述した記憶部に対応する記憶領域を主記憶装置７０２に確保する。
【０１００】
当該プログラムは、具体的には、コンピュータ７００に、第１抽選に参加する第１候補者を選択する候補者選択工程と、候補者選択工程で選択された第１候補者の通信端末装置４００に、第１抽選への参加意思を表明するためのオブジェクトを表示させる第１表示制御工程と、第１候補者の通信端末装置におけるオブジェクトの操作の結果を受け付け、当選者を選択する当選者選択工程と、第２候補者の通信端末装置４００に第２抽選への参加意思を表明するためのオブジェクトを表示させる第２表示制御工程と、第２表示制御工程により表示されているオブジェクトの操作の有無に関係なく、当選者選択工程により選択された当選者が当選した旨を第１候補者および第２候補者の通信端末装置４００に通知する第１通知工程と、をコンピュータ７００に実行させるためのプログラムである。
【０１０１】
なお、補助記憶装置７０３は、一時的でない有形の媒体の一例である。一時的でない有形の媒体の他の例としては、インタフェースを介して接続される磁気ディスク、光磁気ディスク、ＣＤ−ＲＯＭ、ＤＶＤ−ＲＯＭ、半導体メモリ等が挙げられる。また、このプログラムがネットワークＮを介してコンピュータ７００に配信される場合、配信を受けたコンピュータ７００が当該プログラムを主記憶装置７０２に展開し、上記処理を実行してもよい。
【０１０２】
また、当該プログラムは、前述した機能の一部を実現するためのものであってもよい。さらに、当該プログラムは、前述した機能を補助記憶装置７０３に既に記憶されている他のプログラムとの組み合わせで実現するもの、いわゆる差分ファイル（差分プログラム）であってもよい。
【０１０３】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１０４】
１，２…コンテンツ提供システム  １１…候補者選択部  １２…第１表示制御部  １３…当選者選択部  １４…第２表示制御部  １５…第１通知部  １６…集計部  １７…交渉部  １８…第１通知部  １９…配信制限部  ３１…ユーザ情報記憶部  ３２…第１候補者記憶部  ３３…第１抽選結果記憶部  ３４…集計結果記憶部  １００，６００…コンテンツ提供装置  ２００…コメント配信装置  ３００…抽選通知装置  ４００…通信端末装置  ５００…番組コンテンツ生成装置  ６０１…コンテンツ提供部  ６０２…コメント配信部  ６０３…抽選通知部  ６０４…番組コンテンツ生成部  ７００…コンピュータ  ７０１…ＣＰＵ  ７０２…主記憶装置  ７０３…補助記憶装置  ７０４…インタフェース  Ｎ…ネットワーク
【図１】
2018067078.tif 000003
【図２】
2018067078.tif 000004
【図３】
2018067078.tif 000005
【図４】
2018067078.tif 000006
【図５】
2018067078.tif 000007
【図６】
2018067078.tif 000008
【図７】
2018067078.tif 000009
【図８】
2018067078.tif 000010
【図９】
2018067078.tif 000011
【図１０】
2018067078.tif 000012
【図１１】
2018067078.tif 000013
【図１２】
2018067078.tif 000014
【図１３】
2018067078.tif 000015
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
第１抽選に参加する第１候補者をコンテンツの視聴者から選択する候補者選択部と、
前記候補者選択部で選択された第１候補者の通信端末装置に、第１抽選への参加意思を表明するためのオブジェクトを表示させる第１表示制御部と、
前記第１候補者の通信端末装置における前記オブジェクトの操作の結果を受け付け、当選者を選択する当選者選択部と、
前記コンテンツの視聴者であって第１候補者とは異なる集合である第２候補者の通信端末装置に第２抽選への参加意思を表明するためのオブジェクトを表示させる第２表示制御部と、
前記第２表示制御部により表示されているオブジェクトの操作の有無に関係なく、前記当選者選択部により選択された当選者が当選した旨を前記第１候補者および前記第２候補者の通信端末装置に通知する第１通知部とを備える抽選通知装置。
【請求項２】
前記第１抽選および前記第２抽選は、インターネットにより配信されている番組に連動する抽選であり、
前記第１通知部は、前記当選者選択部により選択された当選者の情報を前記番組を行っているスタジオの通信端末装置に通知する請求項１記載の抽選通知装置。
【請求項３】
各通信端末装置における前記オブジェクトの操作を集計する集計部を備え、
前記当選者選択部は、前記集計部による集計結果に基づいて、当選者を選択し、
前記集計部は、
前記第１表示制御部によりオブジェクトを通信端末装置に表示させる制御を行ってから、操作がされたことを受信するまでの時間の集計をする、
または、前記オブジェクトが通信端末装置に表示されてから操作されるまでの時間の集計をする請求項１または２記載の抽選通知装置。
【請求項４】
ユーザにおける、視聴履歴、所有する通信端末装置の通信環境、属性、年齢または投稿されたユーザ投稿情報の評価を記憶する記憶部を備え、
前記当選者選択部は、前記集計部による集計結果に前記記憶部に記憶されている情報を加味して、当選者を選択する請求項３に記載の抽選通知装置。
【請求項５】
前記候補者選択部は、前記記憶部に記憶されている情報を加味して前記第１候補者を選択する請求項４記載の抽選通知装置。
【請求項６】
前記第２候補者には、前記第１候補者を含まない請求項１から５のいずれか一項に記載の抽選通知装置。
【請求項７】
前記第１表示制御部は、オブジェクトが押下されずに放置されている場合、時間の経過とともにオブジェクトの表示形態を変化させる請求項１から６のいずれか一項に記載の抽選通知装置。
【請求項８】
前記第１表示制御部は、オブジェクトが押下されずに放置され、前記当選者選択部により当選者が選択された場合、所定の通知を行う請求項１から７のいずれか一項に記載の抽選通知装置。
【請求項９】
前記第１通知部は、通信端末装置に予めインストールされている専用プレーヤ、またはＳＮＳを通じて当選した旨を通知する請求項１から８のいずれか一項に記載の抽選通知装置。
【請求項１０】
前記専用プレーヤまたはＳＮＳを通じて番組への出演交渉を行う交渉部を備える請求項９記載の抽選通知装置。
【請求項１１】
前記当選者選択部により選択された当選者の通信端末装置に当選した旨を通知する第２通知部と、
前記第２通知部により当選を通知した当選者の通信端末装置から投稿を受け付けた場合、前記第１通知部により参加者の通信端末装置に当選者の通知を行うまで、当該投稿された内容の配信を制限する配信制限部を備える請求項１から１０のいずれか一項に記載の抽選通知装置。
【請求項１２】
第１抽選に参加する第１候補者をコンテンツの視聴者から選択する候補者選択工程と、
前記候補者選択工程で選択された第１候補者の通信端末装置に、第１抽選への参加意思を表明するためのオブジェクトを表示させる第１表示制御工程と、
前記第１候補者の通信端末装置において前記オブジェクトの操作が行われたときに、当該オブジェクトの操作を受け付け、当選者を選択する当選者選択工程と、
前記コンテンツの視聴者であって第１候補者とは異なる集合である第２候補者の通信端末装置に第２抽選への参加意思を表明するためのオブジェクトを表示させる第２表示制御工程と、
前記第２表示制御工程により表示されているオブジェクトの操作の有無に関係なく、前記当選者選択工程により選択された当選者が当選した旨を前記第１候補者および前記第２候補者の通信端末装置に通知する第１通知工程とを備える抽選通知方法。
【請求項１３】
第１抽選に参加する第１候補者をコンテンツの視聴者から選択する候補者選択工程と、
前記候補者選択工程で選択された第１候補者の通信端末装置に、第１抽選への参加意思を表明するためのオブジェクトを表示させる第１表示制御工程と、
前記第１候補者の通信端末装置において前記オブジェクトの操作が行われたときに、当該オブジェクトの操作を受け付け、当選者を選択する当選者選択工程と、
前記コンテンツの視聴者であって第１候補者とは異なる集合である第２候補者の通信端末装置に第２抽選への参加意思を表明するためのオブジェクトを表示させる第２表示制御工程と、
前記第２表示制御工程により表示されているオブジェクトの操作の有無に関係なく、前記当選者選択工程により選択された当選者が当選した旨を前記第１候補者および前記第２候補者の通信端末装置に通知する第１通知工程と、をコンピュータに実行させるための抽選通知プログラム。
【手続補正２】
【補正対象書類名】明細書
【補正対象項目名】０００８
【補正方法】変更
【補正の内容】
【０００８】
第１の態様は、第１抽選に参加する第１候補者をコンテンツの視聴者から選択する候補者選択部と、前記候補者選択部で選択された第１候補者の通信端末装置に、第１抽選への参加意思を表明するためのオブジェクトを表示させる第１表示制御部と、前記第１候補者の通信端末装置における前記オブジェクトの操作の結果を受け付け、当選者を選択する当選者選択部と、前記コンテンツの視聴者であって第１候補者とは異なる集合である第２候補者の通信端末装置に第２抽選への参加意思を表明するためのオブジェクトを表示させる第２表示制御部と、前記第２表示制御部により表示されているオブジェクトの操作の有無に関係なく、前記当選者選択部により選択された当選者が当選した旨を前記第１候補者および前記第２候補者の通信端末装置に通知する第１通知部とを備える。
【手続補正３】
【補正対象書類名】明細書
【補正対象項目名】０００９
【補正方法】変更
【補正の内容】
【０００９】
第２の態様は、第１抽選に参加する第１候補者をコンテンツの視聴者から選択する候補者選択工程と、前記候補者選択工程で選択された第１候補者の通信端末装置に、第１抽選への参加意思を表明するためのオブジェクトを表示させる第１表示制御工程と、前記第１候補者の通信端末装置において前記オブジェクトの操作が行われたときに、当該オブジェクトの操作を受け付け、当選者を選択する当選者選択工程と、前記コンテンツの視聴者であって第１候補者とは異なる集合である第２候補者の通信端末装置に第２抽選への参加意思を表明するためのオブジェクトを表示させる第２表示制御工程と、前記第２表示制御工程により表示されているオブジェクトの操作の有無に関係なく、前記当選者選択工程により選択された当選者が当選した旨を前記第１候補者および前記第２候補者の通信端末装置に通知する第１通知工程とを備える。
【手続補正４】
【補正対象書類名】明細書
【補正対象項目名】００１０
【補正方法】変更
【補正の内容】
【００１０】
第３の態様は、第１抽選に参加する第１候補者をコンテンツの視聴者から選択する候補者選択工程と、前記候補者選択工程で選択された第１候補者の通信端末装置に、第１抽選への参加意思を表明するためのオブジェクトを表示させる第１表示制御工程と、前記第１候補者の通信端末装置において前記オブジェクトの操作が行われたときに、当該オブジェクトの操作を受け付け、当選者を選択する当選者選択工程と、前記コンテンツの視聴者であって第１候補者とは異なる集合である第２候補者の通信端末装置に第２抽選への参加意思を表明するためのオブジェクトを表示させる第２表示制御工程と、前記第２表示制御工程により表示されているオブジェクトの操作の有無に関係なく、前記当選者選択工程により選択された当選者が当選した旨を前記第１候補者および前記第２候補者の通信端末装置に通知する第１通知工程と、をコンピュータに実行させるための抽選通知プログラムである。